(57)【特許請求の範囲】
【請求項１】
植木鉢本体の底部に装着されて底部空間を形成する鉢植え用スノコにおいて、全面に排水穴が設けられた平板部と、この平板部の外周縁から立ち上げて形成されると共にその上下方向全長に渡って縦長の排水穴が設けられた立ち上げ壁部と、この立ち上げ壁部の上部に外方へ向けて形成され、前記植木鉢本体の内側壁と立ち上げ壁部とを一定間隔を隔てて支持し、これらの間に断熱層を形成する隔離部と、前記平板部を下方へ向けて細る円錐状又は角錐状に窪ませて形成されると共に、その上下方向全長に亘って縦長の排水穴が設けられ、平板部に達した水を導いて植木鉢本体の底部側へ排出させる脚部とから構成され、
前記立ち上げ壁部が、前記脚部と同程度の高さ又はそれ以上の高さに設定されたことを特徴とする鉢植え用スノコ。
【請求項２】
内部に土等を入れて草木等を植える植木鉢本体と、請求項１に記載の鉢植え用スノコとから構成されたことを特徴とする植木鉢。
【請求項３】
請求項２に記載の植木鉢において、前記植木鉢本体の内側壁に、前記鉢植え用スノコの隔離部との間で空間を形成する縦溝を設けたことを特徴とする植木鉢。
【発明の詳細な説明】
【０００１】
【発明の属する技術分野】
本発明は、排水性及び断熱性を向上させた鉢植え用スノコ及び植木鉢に関する。
【０００２】
【従来の技術】
一般に、植木鉢は、上側が開口した筒状または皿状に形成された植木鉢本体と、その底部に装着されたスノコとから構成されている。そして、スノコに特徴を有する植木鉢としては、実開平３−９２９５０号公報記載のものがある。この植木鉢を図２に基づいて説明する。
【０００３】
植木鉢１は、深底の皿状の植木鉢本体２と、その底部２Ａに装着されたスノコ３とから構成されている。
【０００４】
スノコ３は、円盤状の平板部４と、この平板部４の周囲から立ち上げて形成された立ち上げ壁部５と、平板部４の下側面に形成された脚部６とから構成されている。
【０００５】
平板部４には、上部から注がれた水を植木鉢本体２の底部に排水する排水穴７が設けられている。立ち上げ壁部５にも排水穴８が設けられている。
【０００６】
【発明が解決しようとする課題】
ところで、スノコ３の平板部４には排水穴７が設けられているが、平板部４は平坦面状に形成されているため、排水性が悪い。即ち、水の持つ特性である表面張力による毛細管現象によって、平板部４の上面に後述する水浸しの層が形成されてしまう。この水浸しの層は、注がれた水が多い場合に生じる現象で、大量の水が土の中に流入すると、土の粒子内にしみ込んだ後、土の粒子の間に入り込んで、水浸しになる減少である。これは、水の持つ特性である表面張力におる毛細管現象によるもので、土等の粒子が小さいと、それに応じて厚い水浸し層ができてしまう。そして、この部分では、水の流れがほとんどなく、水はけの効率が悪くなってしまうという問題点がある。
【０００７】
また、前記構成の植木鉢１の場合、スノコ３の立ち上げ壁部５が植木鉢本体２の内側壁に直接に接触するため、外部の熱が伝わりやすい。即ち、スノコ３が植木鉢本体２内に装着されて土等が入れられると、その土等の重みで立ち上げ壁部５が多少押し広げられて植木鉢本体２の内側壁に押し付けられる。このため、真夏に照り返しの強いコンクリートの上に植木鉢１を置いた場合等のように、植木鉢１の周囲の温度が高くなると、植木鉢本体２が加熱され、その熱が植木鉢本体２の内側壁から直接にスノコ３に伝わって内部の土を加熱してしまう。特に、スノコ３の平板部４と立ち上げ壁部５で囲まれた空間の部分の土が加熱されやすいが、この部分には植木の根が集中しており、植木に悪影響を与えてしまうという問題点がある。
【０００８】
本発明は以上述べたような問題点に鑑みてなされたもので、排水性及び断熱性を向上させた鉢植え用スノコ及び植木鉢を提供することを目的とする。
【０００９】
【課題を解決するための手段】
前述した課題を解決するために第１の発明に係る鉢植え用スノコは、植木鉢本体の底部に装着されて底部空間を形成する鉢植え用スノコにおいて、全面に排水穴が設けられた平板部と、この平板部の外周縁から立ち上げて形成されると共にその上下方向全長に渡って縦長の排水穴が設けられた立ち上げ壁部と、この立ち上げ壁部の上部に外方へ向けて形成され、前記植木鉢本体の内側壁と立ち上げ壁部とを一定間隔を隔てて支持し、これらの間に断熱層を形成する隔離部と、前記平板部を下方へ向けて細る円錐状又は角錐状に窪ませて形成されると共に、その上下方向全長に亘って縦長の排水穴が設けられ、平板部に達した水を導いて植木鉢本体の底部側へ排出させる脚部とから構成され、前記立ち上げ壁部が、前記脚部と同程度の高さ又はそれ以上の高さに設定されたことを特徴とする。
【００１０】
前記構成により、隔離部で、植木鉢本体の内側壁と立ち上げ壁部との間に断熱層を形成するので、植木鉢本体の外部からの熱は、植木鉢本体に伝わった後、断熱層で遮断される。これにより、植木鉢本体内が異常に加熱されるのを防止する。
【００１１】
また、植木鉢本体の内部に鉢植え用スノコ及び土等を入れて木を植えた状態で、上側から水を注ぐと、水は土等にしみ込んでいく。このとき、土等の保水力を越える水は下方へ流れ落ち、立ち上げ壁部に達して縦長の排水穴から徐々に植木鉢本体の底部に落下する。また、平板部に達した水は、この平板部の全面に設けられた排水穴から植木鉢本体の底部に落下するが、水の特性である表面張力による毛細管現象により、この平板部の上側面に数センチ程度の前記水浸し層を形成してしまう。ところが、脚部の部分では窪んだ穴になっているため、水浸し層は形成されず、水は脚部内へ流れ落ち、上下方向全長に渡って設けられた縦長の排水穴から植木鉢本体の底部に効率的に落下する。
【００１２】
第２の発明に係る植木鉢は、内部に土等を入れて草木等を植える植木鉢本体と、前記第１の発明に記載の鉢植え用スノコとから構成されたことを特徴とする。
【００１３】
前記構成により、植木鉢の排水性及び断熱性を向上させることができる。
【００１４】
第３の発明に係る植木鉢は、第２の発明に係る植木鉢において、前記植木鉢本体の内側壁に、前記鉢植え用スノコの隔離部との間で空間を形成する縦溝を設けたことを特徴とする。
【００１５】
前記構成により、縦溝と隔離部との間にできる空間によって、通気性及び断熱性が向上する。
【００１６】
【発明の実施の形態】
以下、本発明の実施形態について説明する。
［第１実施形態］
本実施形態に係る植木鉢１１は、図１及び図３から図８に示すように構成されている。この植木鉢１１は、主に、植木鉢本体１２と、鉢植え用スノコ１３とから構成されている。
【００１７】
植木鉢本体１２は、図１及び図３から図５に示すように、底部が狭くて上部が広く開口した、深底の皿状に形成されている。植木鉢本体１２は具体的には、底部を形成する底板部１２Ａと、外周の壁を形成する側壁部１２Ｂとから構成されている。植木鉢本体１２の外周を形成する側壁部１２Ｂの底部（底板部１２Ａ近傍）には、底板部１２Ａに溜まった水を外部に排出する排水口１２Ｃが設けられている。なお、排水口１２Ｃには、蓋体１４が取り付けられている。
【００１８】
底板部１２Ａの中央部には、平面形状が円形で側面形状が台形の隆起部１２Ｄが形成されている。植木鉢本体１２の底板部１２Ａと側壁部１２Ｂとの境界部には、後述する鉢植え用スノコ１３の壁部排水穴１８Ａにはまり込んで鉢植え用スノコ１３を植木鉢本体１２側に安定的に支持するための係止用板１５が設けられている。この係止用板１５は、前記境界部において、６カ所の位置に等間隔に設けられている。各６カ所の係止用板１５のうち、対向する２つの係止用板１５の内側近傍には係止用突起１６が設けられている。この係止用突起１６は、後述する鉢植え用スノコ１３の脚部１９の係止用穴２６に嵌合して鉢植え用スノコ１３を植木鉢本体１２の底板部１２Ａに位置決め固定するためのものである。
【００１９】
鉢植え用スノコ１３は、図１及び図６から図８に示すように、植木鉢本体１２の底部に装着されて底部空間を形成するためのものである。この鉢植え用スノコ１３は、主に、平板部１７と、立ち上げ壁部１８と、脚部１９と、隔離部２０とから構成されている。
【００２０】
平板部１７は円盤状に形成され、脚部１９を除く部分に平板部排水穴１７Ａが設けられている。この平板部排水穴１７Ａは、平板部１７全体に碁盤の目状に配設された多数の小孔によって構成されている。
【００２１】
立ち上げ壁部１８は、平板部１７の外周縁から、上方でかつ外方へ開くように、立ち上げて形成されている。立ち上げ壁部１８には、その全周に亘って多数の壁部排水穴１８Ａが設けられている。この壁部排水穴１８Ａは、立ち上げ壁部１８の上端から下端の平板部１７に達する縦長のスリットによって形成されている。壁部排水穴１８Ａを縦長のスリットにすることで、上部から流れ落ちる水が、抵抗なくスムーズに外部に流出し、植木鉢本体１２の底部に落下するようになっている。立ち上げ壁部１８の下部には折り返し部１８Ｂが形成されている。この折り返し部１８Ｂは、立ち上げ壁部１８のうち平板部１７との境界部分を内側へ曲線状に膨らませて形成されている。これにより、立ち上げ壁部１８の内側に沿って流れ落ちる水は壁部排水穴１８Ａから外部に流出すると共に、折り返し部１８Ｂで受け止められ、この部分の壁部排水穴１８Ａから効率的に外部に流出する。このように、立ち上げ壁部１８に前記壁部排水穴１８Ａと折り返し部１８Ｂを設けることで、排水性を向上させている。
【００２２】
脚部１９は、平板部１７と植木鉢本体１２の底板部１２Ａとの間に空間を形成するためのもので、平板部１７の下側に７個設けられている。なお、この脚部１９の７個の配設間隔は、前記水浸し層が減少できる程度に設定する。これは、平板部１７の平板部排水穴１７Ａの大きさや植木鉢本体１２の大きさ等の条件に応じて異なるため、それぞれの植木鉢１１に応じて実験等により設定する。
【００２３】
各脚部１９は、下方へ向けて細くなる逆さの円錐状に形成された側壁部１９Ａと、この側壁部１９Ａの下端に形成された底板部１９Ｂとから構成されている。
【００２４】
側壁部１９Ａには脚部排水穴１９Ｃが設けられている。この脚部排水穴１９Ｃは、側壁部１９Ａの上部から底板部１９Ｂまで延びた縦長のスリットによって形成されている。これにより、脚部排水穴１９Ｃは植木鉢本体１２の上部から注がれて平板部１７まで達した水を、さらに下方へ導いて植木鉢本体１２の底板部１２Ａ側へ排出するようになっている。なお、この場合の具体的な作用は後述する。
【００２５】
各脚部１９のうち中央の脚部１９Ｄは短く、周囲の脚部１９Ｅは長く形成されている。これにより、中央の脚部１９Ｄは植木鉢本体１２の底板部１２Ａの隆起部１２Ｄに当接し、周囲の脚部１９Ｅは隆起部１２Ｄの周囲の底板部１２Ａに当接するようになっている。周囲の脚部１９Ｅの底板部１９Ｂの中央には、植木鉢本体１２の底板部１２Ａの係止用突起１６に嵌合して位置決め固定される係止用穴２６が設けられている。
【００２６】
隔離部２０は、植木鉢本体１２の内側壁と立ち上げ壁部１８とを隔離して直接に接触しないようにするためのものである。この隔離部２０によって、植木鉢本体１２の内側壁と立ち上げ壁部１８との間に空気層を作って断熱用空間を形成するようになっている。この隔離部２０は、立ち上げ壁部１８の上端部に外方へ向けたフランジ状に形成されている。この隔離部２０が植木鉢本体１２の内側壁に接触して、立ち上げ壁部１８の周囲と植木鉢本体１２の内側壁とを一定の距離に隔てている。
［作用］
以上のように構成された植木鉢１１では、植木鉢本体１２の底部に鉢植え用スノコ１３を装着して、土等を入れ、木を植える。
【００２７】
植木鉢本体１２の上部から水を注ぐと、水は土の中にしみ込む。このとき、土の中では、水が全体にしみ渡っていくが、その土の持つ保水力以上に水を保持することはできないため、保水力を越える分の水は下方へ流れ、鉢植え用スノコ１３まで達する。周縁部分を流れ落ちた水は、鉢植え用スノコ１３の立ち上げ壁部１８に達してその内壁面に沿って落ちる。この内壁面に沿って落ちる水の一部は、縦長の壁部排水穴１８Ａから外部に流出し、そのまま植木鉢本体１２の底板部１２Ａに落下する。
【００２８】
一方、鉢植え用スノコ１３の平板部１７に達した水は、この平板部１７の平板部排水穴１７Ａを抜けて植木鉢本体１２の底板部１２Ａに落下する。このとき、平板部１７に達した水の全てが平板部排水穴１７Ａから落下することはなく、平板部１７の上側に数センチの水浸し層ができてしまう。
【００２９】
この水浸し層は、平坦な平板部１７でできる。脚部１９の位置では、水は逆さ円錐状の脚部１９内に落ちて、水浸し層はできない。さらに、脚部１９の上側の水浸し層がなくなるため、その周囲の水は脚部１９内に引き込まれてしまう。さらに、脚部１９の間隔は水浸し層を減少させることができる程度に配設しているため、平板部１７の上側にできる水浸し層が大幅に減少する。
【００３０】
さらに、脚部１９は逆さ円錐状になっているため、脚部１９内の下部に行くに従って横幅が細くなり、それに従って水圧も多少上昇するため、脚部１９内に落ちた水は脚部排水穴１９Ｃから外部に押し出される。しかも、脚部排水穴１９Ｃは脚部１９の縦方向全長に亘って形成されているため、脚部１９全体で効率的に押し出されて底板部１２Ａに落下する。さらに、脚部１９は前述のように、水浸し層を効率的に減少できる間隔に配設しているため、平板部１７の上側まで流れ落ちた水は水浸し層を形成することなく、底板部１２Ａに落下する。
【００３１】
一方、真夏の日中の照り返しの強いコンクリートの上等のように周囲の温度が高いところでは、植木鉢本体１２が加熱され、その熱が植木鉢本体１２内に伝わる。植木鉢本体１２の内側壁まで伝わった熱は、鉢植え用スノコ１３の隔離部２０で植木鉢本体１２の内側壁との間に形成された断熱層で遮断され、鉢植え用スノコ１３の部分にはあまり伝わらない。
［効果］
以上のように、鉢植え用スノコ１３の平板部１７には平板部排水穴１７Ａを設け、平板部１７の上側には縦長の壁部排水穴１８Ａを備えた立ち上げ壁部１８を設け、平板部１７の下側には縦長の脚部排水穴１９Ｃを備えた脚部１９を設けたので、鉢植え用スノコ１３の全体から効率的に排水することができ、排水性が大幅に向上する。
【００３２】
また、立ち上げ壁部１８の上端部には隔離部２０を設けて植木鉢本体１２の内側壁との間に断熱層を形成したので、外側からの熱は断熱層で遮られて鉢植え用スノコ１３へはあまり伝わらない。この結果、植木の根が集中している鉢植え用スノコ１３の部分があまり加熱されず、植木に対する悪影響を最小限に抑えることができる。
【００３３】
［第２実施形態］
本実施形態の植木鉢は吊り鉢である。図９から図１２に、この吊り鉢３１の全体構成を示す。吊り鉢３１は主に、植木鉢本体３２と、この植木鉢本体３２を吊り下げる吊り棒３３と、植木鉢本体３２内に装着される鉢植え用スノコ３４とから構成されている。
【００３４】
植木鉢本体３２はほぼお椀状に形成されている。この植木鉢本体３２の外側面にはその全周に多数の縦溝が形成されている。この溝は断面形状が外側にせり出した円弧状に形成され、外観上の美観を向上させている。この縦溝は外観上の美観と同時に、内側面においては円弧状に窪んだ縦溝となる。これにより、後述する鉢植え用スノコ３４を点接触で支持して熱の伝達を抑えると共に、隔離部４０と窪んだ縦溝との間に形成された空間によって通気性を向上させている。
【００３５】
植木鉢本体３２の下部には、排水穴３２Ａが形成され、蓋体３２Ｂが取り付けられている。植木鉢本体３２の底部の中央には、後述する鉢植え用スノコ３４の係止穴３９Ｄに嵌合して鉢植え用スノコ３４を位置決め支持するための係止用突起３２Ｃが設けられている。植木鉢本体３２の内側面の上下方向中間部には、内側全周の５カ所の位置に等間隔に支持用突起３２Ｄが設けられている。この支持用突起３２Ｄは小さな板片状に形成され、後述する鉢植え用スノコ３４のスリット状の壁部排水穴３８Ａに嵌合して鉢植え用スノコ３４を安定的に支持する。植木鉢本体３２の上端部は外側に折り返され、吊り棒３３が係止される３つの係止穴３２Ｅが設けられている。
【００３６】
吊り棒３３は、前記植木鉢本体３２の係止穴３２Ｅに係止されて植木鉢本体３２を吊り下げるためのものである。この吊り棒３３は、３つの係止穴３２Ｅに対応して３本に分かれており、上端部で１つになってフック部３３Ａに接続されている。
【００３７】
鉢植え用スノコ３４は、図１２に示すように、植木鉢本体３２内に装着されて、植木鉢本体３２の底部に空間を形成する。この鉢植え用スノコ３４は、図１３から図１５に示すようになっている。この鉢植え用スノコ３４は主に、平板部３７と、立ち上げ壁部３８と、脚部３９と、隔離部４０とから構成されている。
【００３８】
平板部３７は円盤状に形成され、多数の平板部排水穴３７Ａが設けられている。この平板部排水穴３７Ａは、脚部３９を除いて平板部３７全体に碁盤の目状に配設された多数の小孔によって構成されている。なお、３７Ｂは前記排水穴３２Ａに取り付けられた蓋体３２Ｂに接触しないで蓋体３２Ｂを覆うほぼ球面状の隆起部である。
【００３９】
立ち上げ壁部３８は、平板部３７の外周縁から、上方でかつ外方へ開くように、立ち上げて形成されている。立ち上げ壁部３８には、その全周に亘って多数の壁部排水穴３８Ａが設けられている。この壁部排水穴３８Ａは、前記第１実施形態と同様に、立ち上げ壁部３８の上端から下端の平板部３７に達する縦長のスリットによって形成され、排水性を向上させている。
【００４０】
脚部３９は、平板部３７と植木鉢本体３２の底板部との間に空間を形成するためのもので、平板部３７の下側中央に１個設けられている。脚部３９を１つにしたのは、平板部３７が狭く、１つの脚部３９で十分に対応できるためである。即ち、１個の脚部３９で、前記水浸し層を効率的に減少できるためである。換言すれば、水浸し層を効率的に減少できる程度の大きさに脚部３９を設定する。
【００４１】
脚部３９は、下方へ向けて細くなる逆さの円錐状に形成された側壁部３９Ａと、この側壁部３９Ａの下端に形成された底板部３９Ｂとから構成されている。
【００４２】
側壁部３９Ａには脚部排水穴３９Ｃが設けられている。この脚部排水穴３９Ｃは、側壁部３９Ａの上部から底板部３９Ｂまで延びた縦長のスリットによって形成されている。底板部３９Ｂの中央には、植木鉢本体３２の係止用突起３２Ｃに嵌合して位置決め固定される係止穴３９Ｄが設けられている。
【００４３】
隔離部４０は、前記第１実施形態の隔離部２０と同様に、立ち上げ壁部３８の上端部に外方へ向けたフランジ状に形成されている。
［作用］
以上のように構成された吊り鉢３１では、植木鉢本体３２内に鉢植え用スノコ３４を装着して、土等を入れ、木を植える。そして、吊り下げる吊り棒３３で軒先等に吊り下げられる。
【００４４】
植木鉢本体３２の上部から水を注ぐと、前記第１実施形態と同様にして、鉢植え用スノコ３４まで達する。このとき、鉢植え用スノコ３４の立ち上げ壁部３８に達した水は、縦長の壁部排水穴３８Ａから外部に流出する。
【００４５】
鉢植え用スノコ３４の平板部３７に達した水は、脚部３９内に引かれて植木鉢本体３２の底部に落下する。
【００４６】
また、隔離部４０で形成された断熱層では、外部からの熱の伝達が遮断されて鉢植え用スノコ３４の部分まで伝わらない。
【００４７】
なお、これらの具体的な作用は前記第１実施形態の鉢植え用スノコ１３の場合と同様である。
【００４８】
さらに、本実施形態では、植木鉢本体３２に設けた縦溝によって隔離部４０と植木鉢本体３２の内壁面との間に空間が形成されるため、植木鉢本体３２と隔離部４０との間の通気性が向上し、より確実に熱の伝達を遮断することができるようになる。
［効果］
以上のように本実施形態の場合も、前記第１実施形態の植木鉢１１の場合と同様に、排水性が大幅に向上すると共に、熱による悪影響を最小限に抑えることができる。
【００４９】
［第３実施形態］
本実施形態の植木鉢は壁掛け鉢である。図１６から図２２に、この壁掛け鉢４１の全体構成を示す。壁掛け鉢４１は主に、植木鉢本体４２と、この植木鉢本体４２内に装着される鉢植え用スノコ４３とから構成されている。
【００５０】
植木鉢本体４２は、平面形状が半円状で、お椀を縦半分にしたような形状になっている。この植木鉢本体４２の正面側の壁面には、図１９に示すように、多数の縦溝が形成されている。この縦溝は前記第２実施形態の縦溝と同様に、美観と通気性の向上を図ったものである。
【００５１】
植木鉢本体４２の背面側下部（図１８参照）には、排水穴４２Ａが形成され、蓋体４２Ｂが取り付けられている。植木鉢本体４２の底部の中央には、後述する鉢植え用スノコ４３の係止穴に嵌合して鉢植え用スノコ４３を位置決め支持するための係止用突起４２Ｃが設けられている。植木鉢本体４２の正面側の内側面（図１７参照）の上下方向中間部には、２カ所の位置に支持用突起４２Ｄが設けられている。この支持用突起４２Ｄは、前記第２実施形態の係止用突起３２Ｃと同様に、小さな板片状に形成され、鉢植え用スノコ４３のスリット状の壁部排水穴に嵌合して鉢植え用スノコ４３を安定的に支持する。
【００５２】
植木鉢本体４２の背面には、壁等に打ち込まれた釘に嵌合して壁掛け鉢４１を壁等に取り付けるための釘穴４２Ｅが２カ所に設けられている。
【００５３】
鉢植え用スノコ４３は、図２０に示すように、植木鉢本体４２内に装着されて、植木鉢本体４２の底部に空間を形成する。この鉢植え用スノコ４３は、図２１及び図２２に示すようになっている。この鉢植え用スノコ４３は主に、平板部４５と、立ち上げ壁部４６と、脚部４７と、隔離部４８とから構成されている。
【００５４】
平板部４５は半円盤状に形成されている以外は前記第２実施形態の平板部３７と同様である。立ち上げ壁部４６、脚部４７及び隔離部４８も同様である。
［作用］
以上のように構成された壁掛け鉢４１では、植木鉢本体４２内に鉢植え用スノコ４３を装着して、土等を入れ、木を植える。そして、壁等に打ち付けられた釘に釘穴４２Ｅが嵌合されることで、植木鉢本体４２が壁等に掛けられる。
【００５５】
植木鉢本体４２の上部から注がれた水は、前記第２実施形態と同様にして、鉢植え用スノコ４３で処理され、植木鉢本体４２の底部に落下する。
【００５６】
また、隔離部４８で形成された断熱層では、外部からの熱の伝達が遮断されて鉢植え用スノコ４３の部分まで伝わらない。
【００５７】
さらに、植木鉢本体４２に設けた縦溝によって隔離部４８と植木鉢本体４２の内壁面との間に空間が形成され、通気性が向上して、より確実に熱の伝達が遮断される。
［効果］
以上のように本実施形態の場合も、前記第２実施形態と同様に、排水性が大幅に向上すると共に、熱による悪影響を最小限に抑えることができる。
【００５８】
［第４実施形態］
本実施形態の植木鉢は、前記第１実施形態と同様に、床に置くタイプの鉢である。図２３から図３１に、この植木鉢５１の全体構成を示す。植木鉢５１は、平面形状を長方形状に形成され、主に、植木鉢本体５２と、この植木鉢本体５２内に装着される鉢植え用スノコ５３とから構成されている。
【００５９】
本実施形態に係る植木鉢５１は、長方形状であることを除けば、前記第１実施形態の植木鉢１１とほぼ同様の構成となっている。
【００６０】
植木鉢本体５２は、図２３から図２５に示すように、深底の四角形状に形成され、底板部５２Ａと側壁部５２Ｂとから構成されている。側壁部５２Ｂの底部には排水口５２Ｃが設けられている。
【００６１】
底板部５２Ａの中央部には、平面形状が長方形で側面形状が台形の隆起部５２Ｄが形成されている。底板部５２Ａと側壁部５２Ｂとの境界部には、４カ所の位置に係止用板５５が設けられている。隆起部５２Ｄには、鉢植え用スノコ５３を位置決め固定する係止用突起５６が２つ設けられている。
【００６２】
鉢植え用スノコ５３は、図２６から図３１に示すように、植木鉢本体５２の底部に装着されて底部空間を形成するためのものである。この鉢植え用スノコ５３は、主に、平板部５７と、立ち上げ壁部５８と、脚部５９と、隔離部６０とから構成されている。これら平板部５７、立ち上げ壁部５８、脚部５９及び隔離部６０は、形状、個数に多少の相違があるが、前記第１実施形態の平板部１７、立ち上げ壁部１８、脚部１９及び隔離部２０と同様の機能が持たされている。
【００６３】
以上のように構成された植木鉢５１においても、前記第１実施形態の植木鉢１１と同様の作用、効果を奏することができる。
【００６４】
［変形例］
（１）  なお、前記第各実施形態では、脚部（１９等）を円錐状（半円錐状）に形成したが、角錐状等でもよい。この場合も、前記各実施形態と同様の作用、効果を奏することができる。
（２）  前記各実施形態では、立ち上げ壁部（１８等）の高さを植木鉢本体の側壁部の高さの半分程度に設定したが、植木鉢本体内に入れられる土等の上限の高さまで、高くしてもよい。
【００６５】
【発明の効果】
以上詳細に説明したように本発明によれば、次のような効果を奏することができる。
（１）  鉢植え用スノコの平板部には排水穴を設け、平板部の上側には縦長の排水穴を備えた立ち上げ壁部を設け、平板部の下側には縦長の排水穴を備えた脚部を設けたので、鉢植え用スノコの全体から効率的に排水することができ、排水性が大幅に向上する。
【００６６】
立ち上げ壁部の上部には隔離部を設けて植木鉢本体の内側壁との間に断熱層を形成したので、外側からの熱は断熱層で遮られ、直接的に鉢植え用スノコへ伝わるのを防止することができる。この結果、植木の根が集中している鉢植え用スノコの部分があまり加熱されず、植木に対する悪影響を最小限に抑えることができる。
【図面の簡単な説明】
【図１】本発明の第１実施形態に係る植木鉢を示す正面断面図である。
【図２】従来の植木鉢を示す正面断面図である。
【図３】図１の植木鉢本体を示す正面図である。
【図４】図１の植木鉢本体を示す平面図である。
【図５】図１の植木鉢本体本を示す背面図である。
【図６】図１の鉢植え用スノコを示す平面図である。
【図７】図１の鉢植え用スノコを示す正面図である。
【図８】図１の植木鉢本体の鉢植え用スノコを装着した状態を示す平面図である。
【図９】本発明の第２実施形態に係る吊り鉢を示す正面図である。
【図１０】図９の植木鉢本体を示す正面図である。
【図１１】図９の植木鉢本体を示す平面図である。
【図１２】図９の植木鉢本体に鉢植え用スノコを装着した状態を示す平面図である。
【図１３】図９の鉢植え用スノコを示す平面図である。
【図１４】図９の鉢植え用スノコを示す正面図である。
【図１５】図９の鉢植え用スノコを示す正面断面図である。
【図１６】本発明の第３実施形態に係る壁掛け鉢を示す正面図である。
【図１７】図１６の植木鉢本体を示す平面図である。
【図１８】図１６の植木鉢本体を示す背面図である。
【図１９】図１６のＡ−Ａ線矢視断面図である。
【図２０】図１６の植木鉢本体に鉢植え用スノコを装着した状態を示す平面図である。
【図２１】図１６の鉢植え用スノコを示す正面図である。
【図２２】図１６の鉢植え用スノコを示す平面図である。
【図２３】本発明の第４実施形態に係る植木鉢本体を示す正面図である。
【図２４】図２３の植木鉢本体を示す平面図である。
【図２５】図２３の植木鉢本体を示す側面図である。
【図２６】図２３の鉢植え用スノコを示す平面図である。
【図２７】図２３の鉢植え用スノコを示す正面図である。
【図２８】図２３の鉢植え用スノコを示す側面図である。
【図２９】図２３の植木鉢本体に鉢植え用スノコを装着した状態を示す平面図である。
【図３０】図２３の植木鉢本体に鉢植え用スノコを装着した状態を示す正面断面図である。
【図３１】図２３の植木鉢本体に鉢植え用スノコを装着した状態を示す側面断面図である。
【符号の説明】
１１：植木鉢、１２：植木鉢本体、１２Ａ：底板部、１２Ｂ：側壁部、１２Ｃ：排水口、１２Ｄ：隆起部、１３：鉢植え用スノコ、１４：蓋体、１５：係止用板、１６：係止用突起、１７：平板部、１７Ａ：平板部排水穴、１８：立ち上げ壁部、１８Ａ：壁部排水穴、１８Ｂ：折り返し部、１９：脚部、１９Ａ：側壁部、１９Ｂ：底板部、１９Ｃ：脚部排水穴、２０：隔離部、２６：係止用穴。
【図１】
0004212160.tif 000002
【図２】
0004212160.tif 000003
【図３】
0004212160.tif 000004
【図４】
0004212160.tif 000005
【図５】
0004212160.tif 000006
【図６】
0004212160.tif 000007
【図７】
0004212160.tif 000008
【図８】
0004212160.tif 000009
【図９】
0004212160.tif 000010
【図１０】
0004212160.tif 000011
【図１１】
0004212160.tif 000012
【図１２】
0004212160.tif 000013
【図１３】
0004212160.tif 000014
【図１４】
0004212160.tif 000015
【図１５】
0004212160.tif 000016
【図１６】
0004212160.tif 000017
【図１７】
0004212160.tif 000018
【図１８】
0004212160.tif 000019
【図１９】
0004212160.tif 000020
【図２０】
0004212160.tif 000021
【図２１】
0004212160.tif 000022
【図２２】
0004212160.tif 000023
【図２３】
0004212160.tif 000024
【図２４】
0004212160.tif 000025
【図２５】
0004212160.tif 000026
【図２６】
0004212160.tif 000027
【図２７】
0004212160.tif 000028
【図２８】
0004212160.tif 000029
【図２９】
0004212160.tif 000030
【図３０】
0004212160.tif 000031
【図３１】
0004212160.tif 000032